(57)【要約】      （修正有）【課題】集塵効率の向上及び連続安定荷電運転を可能できる放電電極線および当該放電電極線を用いた湿式電気集塵機を提供する。【解決手段】湿式電気集塵機は、ガス中に硫酸を含む場合があるため、放電電極線１１に鉛製の電極線１４を使用しており、芯線１６に線径Φ１．２ｍｍのステンレス線（ＳＵＳ３０４・ＳＵＳ３１６・ＳＵＳ３１６Ｌ等）を挿入して放電電極線１１の垂直度を維持している。芯線１６として銅線を用いた場合に比べて、伸び難く、且つ耐食性に優れた性能を発揮できる。【選択図】図３
0003214376.tif 000002
【実用新案登録請求の範囲】
【請求項１】
湿式電気集塵機内に設けられた複数の集塵電極板の間に、放電電極枠組に固定される放電電極線であって、
鉛製の電極線と、
引っ張り強さ４００Ｎ／ｍｍ２以上の部材を用いたステンレス製、又はその他の金属材料製からなる前記電極線の芯線と、
を有する
放電電極線。
【請求項２】
放電電極線を放電電極枠組に取り付けてなる湿式電気集塵機であって、
前記放電電極線は、
鉛製の電極線と、
引っ張り強さ４００Ｎ／ｍｍ２以上の部材を用いたステンレス製、又はその他の金属材料製からなる前記電極線の芯線と
を有する湿式電気集塵機。
【考案の詳細な説明】
【技術分野】
【０００１】
本考案は湿式電気集塵機内に配設する放電電極線、並びに湿式電気集塵機に関するものであり、特に芯線に特徴を有する放電電極線及び当該放電電極線を用いた湿式電気集塵機に関するものである。
【背景技術】
【０００２】
近代社会においては、都市ごみ等のごみ焼却炉、産業廃棄物焼却炉、金属製錬設備等から排出されるガス中の煤塵、有毒ガス等を除去して快適な生活環境を構築することが望まれ、排ガス処理の研究、開発がなされ、種々提案されている。
そのような排ガス処理設備の中に湿式電気集塵装置がある。この湿式電気集塵装置は、固体や液体の微粒子が混在するガスを定極性電離作用の起こっている強電場に導いて浮遊微粒子に荷電し、煤塵等の微粒子とガスとを分離して集塵するもので、既に工業化されている。
従来、ガス中に硫酸を含む場合は、図４に示すように、放電電極線に鉛線１１４を使用しており、星型線や角線の芯線に線径Φ１．４〜２．０ｍｍの銅線１１６を挿入して放電極の垂直度を維持している。
【先行技術文献】
【特許文献】
【０００３】
【特許文献１】特開２００６−７５７６２号公報
【考案の概要】
【考案が解決しようとする課題】
【０００４】
しかしながら、従来の芯線に銅線を使用した放電電極線は、図５に示すように、長期荷重により銅線１１６が伸びてしまい、重錘１２６が案内用の振止枠１２４から外れて、重錘１２６の芯ずれによる火花放電が発生するという問題点を有していた。
そのため、湿式電気集塵機の集塵効率及び連続安定荷電運転に支障をきたしていた。
【０００５】
本考案はかかる事情に鑑みてなされたものであり、その目的は、長期間使用した状態でも重力の影響で略伸びない放電電極線および当該放電電極線を用いた湿式電気集塵機を提供することにある。
また、本考案の目的は、集塵効率の向上及び連続安定荷電運転を可能にする放電電極線および当該放電電極線を用いた湿式電気集塵機を提供することにある。
【課題を解決するための手段】
【０００６】
上述した従来技術の問題点を解決し、上述した目的を達成するために、本考案の放電電極線は、湿式電気集塵機の放電電極線であって、鉛製の電極線の芯線として、引っ張り強さ４００Ｎ／ｍｍ２以上の部材を用いている。
【０００７】
本考案では、上述したように、引っ張り強さ４００Ｎ／ｍｍ２以上の部材を芯線に用いたことで、長期間使用した状態でも重力の影響で略伸びない放電電極線および当該放電電極線を用いた湿式電気集塵機を提供することができる。
これにより、集塵効率の向上及び連続安定荷電運転を可能にできる。
【０００８】
好適には、本考案の放電電極線の前記芯線は、ステンレス製、又はその他の金属材料である。
【０００９】
本考案の湿式電気集塵機は、放電電極線を放電電極枠組に取り付けてなる湿式電気集塵機であって、前記放電電極線は、鉛製の電極線の芯線として、引っ張り強さ４００Ｎ／ｍｍ２以上の部材を用いている。
【考案の効果】
【００１０】
本考案によれば、長期間使用した状態でも重力の影響で略伸びない放電電極線および当該放電電極線を用いた湿式電気集塵機を提供することができる。
また、本考案によれば、集塵効率の向上及び連続安定荷電運転を可能にする放電電極線および当該放電電極線を用いた湿式電気集塵機を提供することができる。
【図面の簡単な説明】
【００１１】
【図１】図１は、本考案の実施形態に係る湿式電気集塵機の一部断面図である。
【図２】図２は、図１に示す湿式電気集塵機の原理を説明するための図である。
【図３】図３は、図１に示す放電電極線及び重錘の外観斜視図である。
【図４】図４は、従来技術の放電電極線と重錘との図である。
【図５】図５は、従来技術の問題点を説明するための放電電極線と重錘との図である。
【考案を実施するための形態】
【００１２】
以下、本考案の実施形態に係る湿式電気集塵機について説明する。
図１は、本考案の実施形態に係る湿式電気集塵機１の一部断面図である。
図２は、図１に示す湿式電気集塵機１の原理を説明するための図である。
【００１３】
図１に示すように、集塵室１０内に集塵電極板２５が等間隔で設けられ、該集塵電極板２５の間に放電電極線１１が放電電極枠組（以下単に枠組と言うことがある）２１に固定され振止枠（振止格子）２４との間に吊り下げられる状態で配置されている。
放電電極線１１の先端には、重錘２６が取り付けられている。
【００１４】
これら放電電極線１１と集塵電極板２５との間に電圧をかけることにより図２に示す電離区域１８１と負荷電空間１９１とが形成される。
【００１５】
図２に示すように、湿式電気集塵機１では、正（＋）極に帯電の一対の集塵極１４１、１４１と、この集塵極１４１、１４１の中心に設け、負（−）極に帯電の放電極１１１とに直流電圧電源１６１により電圧を作用させると、定極性電離作用により強電場が形成され、放電極１１１付近でガス分子の電離、衝突作用が行われて正・負イオンが発生（コロナ放電）する。発生したイオンは放電極（強電場）を遠ざかるにしたがって次第に速力を減じ、中性分子を電離しなくなり、図示したように放電極１１１付近の正に帯電した電離区域１８１と、集塵極１４１付近に負に帯電した負荷電空間１９１とに分離される。
【００１６】
この強電場に煤塵、有毒ガス等を含んだガスを通過させると、大部分の微粒子には負電荷が付着し、電離区域１８１にきた微粒子だけには正か負の何方かの電荷が付着する。しかし、集塵機に入った大部分の微粒子は結局負帯電体となって集塵極１４１に追いやられ、集塵極１４１で集塵される。
なお、図１において２７は碍子室で、該碍子室２７に支持碍子２８がセットされ、この支持碍子２８により枠組２１が支持されている。
【００１７】
図３は、図１に示す放電電極線１１及び重錘２６の外観斜視図である。
放電電極線１１は、鉛製で、例えば８ｍｍ／□の角型、或いは外接円直径９ｍｍの星型である。
湿式電気集塵機１は、ガス中に硫酸を含む場合があるため、放電電極線１１に鉛製の電極線１４を使用しており、芯線１６に線径Φ１．２ｍｍのステンレス線（ＳＵＳ３０４・ＳＵＳ３１６・ＳＵＳ３１６Ｌ等）を挿入して放電電極線１１の垂直度を維持している。
なお、放電電極線１１の外径、並びに芯線１６の線径は、適宜、変更可能である。
【００１８】
このようにステンレス線を用いることで、従来のように銅線を用いた場合に比べて、伸び難く、且つ耐食性に優れた性能を発揮できる。
そのため、放電電極線１１の鉛製の電極線１４の長期荷重による伸びを防止することができる。すなわち、放電電極線１１は、芯線１６にステンレスを使用することにより鉛製の電極線１４及び重錘２６による鉛直方向の荷重に耐えることができる。
芯線１６は、引っ張り強さ４００Ｎ／ｍｍ２以上の部材を用いれば、ステンレス線以外でもよい。
【００１９】
放電電極線１１の長手方向には放電の起点となる鉛製の刺１７が多数設けられている。
放電電極線１１の一端部には重錘２６が固定されており、放電電極線１１の他端部は枠組２１に固定され、枠組２１に吊り下げられた状態になっている。
【００２０】
放電電極線１１は、製造過程において、星型線あるいは角線の鉛線成型時に、芯線１６として線径φ１．２ｍｍのステンレス線を芯線１６として挿入して成型・製作する。
放電電極線１１及び湿式電気集塵機１によれば、長時間連続運転をおこなっても伸びが僅かであり、重錘２６が案内用の枠から外れて重錘２６の芯ズレによる火花放電が発生することも無いため、湿式電気集塵機の連続安定荷電運転ができる。
【００２１】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【産業上の利用可能性】
【００２２】
本考案は、湿式電気集塵機に適用可能である。
【符号の説明】
【００２３】
１…湿式電気集塵機
１０…集塵室
１１…放電電極線
１４…電極線（鉛）
１６…芯線
２５…集塵電極板
２６…重錘
１１５…振止枠       
【図１】
0003214376.tif 000003
【図２】
0003214376.tif 000004
【図３】
0003214376.tif 000005
【図４】
0003214376.tif 000006
【図５】
0003214376.tif 000007